(57)【特許請求の範囲】
【請求項１】
互いに突き合わされると共にそれぞれ積層されて形成されたＥ型鉄心とＩ型鉄心を有し、前記Ｅ型鉄心の中央磁脚とこれに対向配置された前記Ｉ型鉄心との間に、インダクタンスの電流特性を調整するエアーギャップが形成され、前記エアーギャップにスペーサを配し、前記中央磁脚の周囲に絶縁紙を介してコイルが巻装され、前記コイルの内径面の巻始めを階段形状として、前記Ｅ型鉄心の中央磁脚の積層端面側に配すると共に、前記中央磁脚の巾寸法より大とした前記スペーサを、前記階段形状によって形成された凹部に配し、ワニス含浸されたリアクタ。
【発明の詳細な説明】
【技術分野】
【０００１】
本発明は、インバータエアコン、インバータヒートポンプ給湯機等の力率改善に用いられるリアクタに関するものである。
【背景技術】
【０００２】
従来、この種のリアクタとしては、コイル内径面は平坦で、エアーギャップに配されるスペーサは、Ｅ型鉄心中央磁脚巾以下の寸法としていた（例えば、特許文献１参照）。
【０００３】
図３は、前記特許文献１に記載された従来のリアクタの斜視図を示すものである。
【０００４】
図３において、積層されたＥ型鉄心１の中央磁脚１ａの周囲に、絶縁紙４を配されたエナメル電線からなり、内径面が平坦なコイル３が巻装され、前記積層されたＥ型鉄心１とＩ型鉄心２を、エアーギャップ７が形成されるよう突き合わせ、前記エアーギャップ７に、積層されたＥ型鉄心１の中央磁脚１ａの巾を超えない巾寸法のスペーサ５が配され、溶接固定し、ワニス含浸されていた。
【先行技術文献】
【特許文献】
【０００５】
【特許文献１】実開平６−３１１２２号公報
【発明の概要】
【発明が解決しようとする課題】
【０００６】
しかしながら、前記従来のリアクタの構成では、力率改善を更に効果的にさせるパルスを重畳させた交番電流流入時、パルス電流重畳時間において、鉄心磁路内の磁束量の急激な増加が起こり、対向する積層されたＥ型鉄心１とＩ型鉄心２間に発生するＮＳ磁気吸引力が増大し、鉄心の磁気振動が大きくなり、前記を要因とした機器の騒音が大きいと言う課題を有し、公知の単位あたりの磁気振動エネルギーを減ずる鉄心磁束密度低減対策を施すため、大型で高価なものになっていた。
【０００７】
本発明は、前記従来の課題を解決するもので、機器の騒音低減に寄与する電磁振動の少ない軽量で安価なリアクタを提供することを目的とする。
【課題を解決するための手段】
【０００８】
前記従来の課題を解決するために本発明のリアクタは、互いに突き合わされると共にそれぞれ積層されて形成されたＥ型鉄心とＩ型鉄心を有し、前記Ｅ型鉄心の中央磁脚とこれに対向配置された前記Ｉ型鉄心との間に、インダクタンスの電流特性を調整するエアーギャップが形成され、前記エアーギャップにスペーサを配し、前記中央磁脚の周囲に絶縁紙を介してコイルが巻装され、前記コイルの内径面の巻始めを階段形状として、前記Ｅ型鉄心の中央磁脚の積層端面側に配すると共に、前記中央磁脚の巾寸法より大とした前記スペーサを、前記階段形状によって形成された凹部に配し、ワニス含浸されたもので、軽量、安価な構成で、対向するＥ型鉄心とＩ型鉄心間に発生するＮＳ磁気吸引力を機械的に抑制する範囲が広がるので、Ｅ型鉄心とＩ型鉄心間に発生するＮＳ磁気吸引力による鉄心磁気振動が低下し、その振動を要因とした機器の騒音を低減することができる。
【発明の効果】
【０００９】
本発明に係るリアクタは、軽量で安価な構成で、防振用スペーサの効果を増大させ、公知の対策である単位あたりの磁気振動エネルギーを減ずる鉄心磁束密度低減によることなく、磁気振動を大幅に低減することができる。
【図面の簡単な説明】
【００１０】
【図１】本発明の実施の形態１におけるリアクタの断面図
【図２】同リアクタのコイルの断面図
【図３】従来のリアクタの斜視図
【発明を実施するための形態】
【００１１】
第１の発明は、互いに突き合わされると共にそれぞれ積層されて形成されたＥ型鉄心とＩ型鉄心を有し、前記Ｅ型鉄心の中央磁脚とこれに対向配置された前記Ｉ型鉄心との間に、インダクタンスの電流特性を調整するエアーギャップが形成され、前記エアーギャップにスペーサを配し、前記中央磁脚の周囲に絶縁紙を介してコイルが巻装され、前記コイルの内径面の巻始めを階段形状として、前記Ｅ型鉄心の中央磁脚の積層端面側に配すると共に、前記中央磁脚の巾寸法より大とした前記スペーサを、前記階段形状によって形成された凹部に配し、ワニス含浸されたもので、軽量、安価な構成で、対向するＥ型鉄心とＩ型鉄心間に発生するＮＳ磁気吸引力を機械的に抑制する範囲が広がるので、Ｅ型鉄心とＩ型鉄心間に発生するＮＳ磁気吸引力による鉄心磁気振動が低下し、その振動を要因とした機器の騒音を低減することができる。
【００１２】
以下、本発明の実施の形態について図面を参照して説明する。なお、本実施の形態によって本発明が限定されるものではない。
【００１３】
（実施の形態１）
図１は、本発明の実施の形態１におけるリアクタの断面図、図２は、同リアクタを構成するコイルの断面図を示すものである。なお、従来のリアクタと同じ構成、部品については、同じ符号を用い、その説明を省略する。
【００１４】
図１、図２において、本実施の形態におけるリアクタは、電磁鋼板のフ−プを連続金型にて、公知で歩留まりが優れる方法で打ち抜いた板厚０．５ｍｍのＥ型形状の電磁鋼板を積層してＥ型鉄心１を構成し、前記Ｅ型鉄心１の中央磁脚１ａの周囲に階段形状の巻芯を使用して、整列巻線した内径面の巻始め６が階段形状のエナメル電線からなるコイル３を、芳香族ポリアミド紙等からなる絶縁紙４を介して、内径面の巻始め６が、前記Ｅ型鉄心１の中央磁脚１ａの積層端面側になるよう巻装し、前記Ｅ型鉄心１の中央磁脚１ａの積層上面のエアーギャップ７に、前記中央磁脚１ａの巾よりエナメル電線径の２倍相当大きい巾寸法で、ＰＰＳ等の絶縁材からなるスペーサ５を配した上、前記連続金型で打ち抜いた板厚０．５ｍｍのＩ型形状の電磁鋼板を積層してＩ型鉄心２を形成し、積層したＥ型鉄心１とＩ型鉄心２の２ヶ所の突き合わせ部を溶接等の方法で固定し、不飽和ポリエステル等の熱硬化性ワニスにて、含浸処理をしたものである。
【００１５】
本実施の形態により、交番電流流入時に対向する積層されたＥ型鉄心１とＩ型鉄心２間のエアーギャップ７に発生するＮＳ磁気吸引力による磁気振動に対し、機械的な防振効果のあるスペーサ５の防振面積が増えると共に、本構成形態であるＥＩ型磁路が左右対称の並列磁路であり、Ｅ型鉄心１の中央磁脚１ａの端部へ磁束が集中することから、ＮＳ磁気吸引力の大きいＥ型鉄心１の中央磁脚１ａの端部をスペーサ５の取付け位置バラツキも含め、確実に機械的に防振することになり、防振効果を増すことができる。
【００１６】
この結果、公知の単位あたりの磁気振動エネルギーを減ずる鉄心磁束密度低減をせずに磁気振動を低下させることができ、鉄心磁束密度が鉄心断面積に反比例することから、鉄心重量の少ない軽量で安価なリアクタの提供が可能となる。
【産業上の利用可能性】
【００１７】
本発明のリアクタは、エアーギャップ部からの磁気振動による騒音を低減することがで
き、鉄心の磁束密度を高くし小型化が可能となるため、積層鉄心を使用したインダクタの用途にも適用できる。
【符号の説明】
【００１８】
１  Ｅ型鉄心
１ａ  中央磁脚
２  Ｉ型鉄心
３  コイル
４  絶縁紙
５  スペーサ
６  巻始め
７  エアーギャップ
【図２】
0005828132.tif 000002
【図１】
0005828132.tif 000003
【図３】
0005828132.tif 000004